(57)【特許請求の範囲】
【請求項１】
一の外線に接続されている電話機と、三者通話サービスを契約している回線に接続されている自己電話機、との通話中において、自己電話機の通常のフッキング操作による第一のフッキングにより該一の外線を局側で保留すること及び自己電話回線の極性反転を条件として、他の外線に接続されている電話機を呼び出して通話した後、自己の電話機をオンフックすることにより自己電話機における直流ループを切断して局交換機との接続を絶つとともに、フッキング許容時間である１００〜１５００ｍｓ以内に、電話機や構内交換機、局交換機に組み込まれた或いは電話機と交換機の間に接続された自動ル−プ起動装置により、自動的に直流ループを閉成させて自己の電話回線を保留して局交換機との接続を回復し、局交換機との接続の切断と回復の間の電流の変化を、該一の外線の局側での保留を解除するための第二のフッキング信号とすることを特徴とする自動ループ起動方法。
【請求項２】
一の外線或いは他の外線に接続されている相手側電話機のオンフックにより、直流ループを解除して自己電話機の通話状態を終了させるものである請求項１記載の自動ループ起動方法。
【請求項３】
直流ループを閉成させると同時に或いはその後速やかに、該ループ形成箇所よりも自己電話機側にある秘話制御部で局線回路を切断して自己電話機の秘話状態を形成させるものである請求項１、又は請求項２記載の自動ループ起動方法。
【請求項４】
局交換機と電話機の間に接続されるか或いは局交換機又は電話端末に組み込まれて、外線との通話中に自己の電話回線を保留にする装置であって、該装置内の局線回路に直流ループを閉成するループ制御部と、フッキング信号の検出及び極性の監視を行う局線監視受信部、自己電話機のオンフックかオフフックかを監視する電話機監視受信部、該局線監視受信部及び該電話機監視受信部からの信号を入力するとともに、第一のフッキング信号と極性反転が検知され且つフッキング許容時間である１００〜１５００ｍｓ以内にオンフック状態が持続したことを検知した場合にループ制御部にループ閉成信号を出力し、オンフック開始とループ閉成の間の電流の変化を第二のフッキング信号として出力し、次いで終話信号が検知された時点でループ制御部にループ解除信号を出力する制御部を含んで構成されることを特徴とする自動ループ起動装置。
【請求項５】
ループ制御部よりも自己電話機寄りに、装置内の局線回路を切断する秘話制御部を設け、制御部からの信号で秘話制御部を作動及び復帰させるものである請求項４記載の自動ループ起動装置。
【発明の詳細な説明】
【０００１】
【産業上の利用分野】
本発明は、外線との通話中に自己の電話機をオンフックすることにより自動的に保留させる方法及び装置に係わり、特にＮＴＴのトリオホンサービスを利用して外部交換する場合に使用するものに関する。
【０００２】
【従来の技術】
従来から、ＮＴＴが多数同時通話方式の一種として提供しているトリオホンサービスは、契約者を中心として電話回線（外線）を利用して三者が同時に通話できるものである。即ち、トリオホンサービスとは、一の外線との通話中に契約者がフッキング（第一のフッキング）を行うと局側でその外線を保留し、続いて他の外線を呼び出して再度フッキング（第二のフッキング）を行うと一の外線の保留が解除されて三者通話ができるものである。尚、この場合、他の二者は契約者であるか否かは問わない。
【０００３】
ただトリオホンサービスは、契約者が自己の電話機をオンフックすると、全ての回線が切れてしまうようになっている。そこで本発明者は、契約者側の回線に或る手段で直流ループを閉成させて自己電話機をオンフックしても外線二者同士の通話が持続できるようにして、トリオホンサービスを利用した外線交換をする技術を開発した（特開平４−９４２４５）。これは、直流ループを閉成（形成）する手段として、自己又は相手方電話機から発信するＤＴＭＦ信号を利用するものである。但し、この場合自己の電話機を再度オフフックすれば外線二者同士の通話を聞くことができる。これを防止するために、同じくＤＴＭＦ信号により直流ループ閉成箇所よりも末端寄りで回線を切断して秘話にする技術も開発した（特願平５−２６９９０３）。
【０００４】
【発明が解決しようとする課題】
しかし、電話機の種類によってはＤＴＭＦ信号を発信することができないものもある。また、直流ループを閉成するための特定のＤＴＭＦ信号を発するプッシュボタンの組合せを記憶しておくことはかなりの努力を要するし、該プッシュボタンの組合せを知らない人も多い。更に、この外線交換装置を他の一者或いは二者までもが設置していると、このＤＴＭＦ信号によって他の回線までもが保留されてしまい、全く通話ができない状態になるおそれがある。
【０００５】
【課題を解決するための手段】
本発明は、上記問題を解決すべくなされたもので、一の外線との通話中において、自己の電話機のフッキング及び自己の電話回線の極性反転を条件として、自己電話機のオンフックによりフッキング許容時間内に直流ループの閉成をなさしめて自己の電話回線を保留にするとともに、結果的に第二のフッキング信号の発信を行わせ（これをオンフック瞬断と定義する）て、トリオホンサービスの機能を利用して外線交換をなさしめるものである。
【０００６】
このようにすると、外線交換を行なう操作者は、他の外線を呼び出して交換する旨を伝えたのちオンフックすると言う極めて簡単な操作で外線への交換を行なうことができる。従って、二度目のフッキング操作、例えばフッキングやＤＴＭＦ信号の送出等が不要になり、操作が簡略化される。尚、本発明で言う保留は、従来言われている電話機における保留とは別個のものである。従来の電話機における保留は、保留音が送出されるので外線二者の通話の妨げになり、本発明では使用できないものである。また、上記した局線回路とは、電話回線の一部をなすものであって、本発明装置の内部にある部分を言う。本発明は、現在のところＮＴＴが提供しているトリオホンサービスを主たる対象とするが、自己の電話回線を保留にすることが必要な今後開発されるであろう各種の通話サービスに適応できる可能性もある。
【０００７】
以下、トリオホンサービスを利用する場合を例に取って本発明を説明する。トリオホンサービスとは前述した通りの内容の通話サービスであり、自己の電話回線に接続した本発明装置で直流ループを閉成させてその回線を保留させると、外線の二者間の通話が完成する。これは、結果的にはトリオホンサービスを利用した手動外線交換と言うことができる。
【０００８】
本発明において電話端末とは、単独電話機や多機能電話機の他に、ボタン電話（ビジネスホン）やホームテレホンのように複数の内線電話機を備えたもの、ＰＢＸなどの構内交換機と多数の内線電話など、通話ができる各種の電話装置を意味する。電話機とは、送受話器を備えた単独電話機や内線電話機、ファックス兼用機等のことを言う。本発明装置は、局交換機と電話機の間に接続されるが、これらの機能を構内交換機や単独電話に組み込んだり、各内線電話機に組み込むこともできる。更に、局交換機自体にその機能を組み込むようにしてもよい。
【０００９】
フッキング（瞬断）とは、局線と電話機回路を瞬間的に断絶させるもので、局交換機への一種の信号となる。トリオホンサービスの場合、これにより前記一の外線電話の局交換機における保留（第一のフッキングによる）及び保留解除（第二のフッキングによる）がなされる。普通は、フックを短時間（規格では 100〜 1,500ms、通常 700〜 1,000ms程度）押すことにより行われるが、電話機によっては特別にフッキングボタンを備えたものもある。極性反転とは、電話を掛けた方の回線の２本の局線間の電位をプラスマイナス逆にするもので、これにより局交換機側で課金を行うようになっている。通話が終われば、極性は元に復帰する。
【００１０】
一方、オフフック（ＯＦＦ−ＨＯＯＫ）とは、送受器を外して電話機において直流ループを作り局交換機と信号の遣り取りを可能にする状態を言う。オンフック（ＯＮ−ＨＯＯＫ）は、この逆に送受器を掛けて電話機における直流ループを断にした状態を言う。本発明では、このオンフックの状態を計時し、所定時間オンフックの状態が続けばオンフック瞬断すべきであると判断して、本発明装置内で直流ループを閉成する。その結果、局交換機は第二のフッキング信号がきたと判断する。この時間は、上記フッキングの規格に基づいて定められ、 100ms以上、 1,500ms以下とするが、安全を見越して 700〜 1,000ms程度とするのが望ましい。
【００１１】
但し、オンフックによりオンフック瞬断がなされる（直流ループが閉成される）ためには、２つの前提条件が必要である。１つ目は、自己の電話機で第一のフッキングがあったこと、２つ目は自己の電話回線の極性が反転していることである。これは、外線の二者の電話回線にも同様な装置が設置されている場合、それらが誤動作するのを防ぐためである。即ち、自己に掛けてきた一の外線の場合、極性反転は起こっているがフッキングはなされていない。自己から該一の外線に電話を掛けた場合には、該一の外線には極性反転も起こっていない。一方、交換先である他の外線の場合、極性反転も起こっていなければフッキングもなされていない。従って、例え両外線の電話機に同様の装置が設置されていても、２つの条件を満たしていないためそれらの電話機をオンフックしても、それらの回線では直流ループは閉成されない。
【００１２】
そして、上記２つの条件の後で該電話機がオンフックされると、 100ms〜 1,500ms後、より望ましくは 700〜 1,000ms程度後に自動的に自己の本発明装置内で直流ループが閉成されて、自己の回線は保留される。これは、結果的に第二のフッキングがなされたと同じことになる。そのため、局交換機側で保留されていた一の外線の保留が解かれ、トリオホンサービスにおける三者通話が開始される。但し、自己の回線は保留されているので、以後自己の電話機がオンフックの状態を続けていてもトリオホンサービスの状態は維持され、自己を除いた外線の二者同士で通話が続けられる。
【００１３】
以上のことを、図面で説明する。図１は、自己電話回線に流れる電流の状態を示すもので、オンフック（図１Ａの位置）の場合０である。受話器を取る（オフフック：一の外線と通話）と、所定の電流が流れる（図１Ｂの位置）。次いで第一のフッキング（一の外線の局交換機による保留を行なう）によって所定時間電流は０になり、直ちに電流が流れた状態に戻る（図１Ｃの位置）。次いで、他の外線を呼び出して（ダイヤルバルス或いはＰＢ音：図１Ｄの状態）通話する。上記過程において、自己の電話回線は極性が反転している。この状態でオンフックすると、局交換機との接続が絶たれて電流は０になる（図１Ｅの位置）。この状態が所定時間（フッキング許容時間： 100ms〜 1,500ms、通常は 700〜 1,000ms程度）続くと、ループ制御部が装置内の局線回路に直流ループを自動的に閉成してその回線を保留状態にする（図１Ｆの状態）。但し、オンフック状態（図１Ｇの状態）は続いている。このＥが、第二のフッキング信号（オンフック瞬断）に該当する。第二のフッキングによって、トリオホンサービスが開始され、一の外線と他の外線同士の通話（外線交換）が開始される。
【００１４】
尚、図１Ｅ以降のオンフック状態が1.５〜2.２秒（基準値）或いはそれ以上の間続くと、電話装置から局交換機に切断信号が発信される。しかし、本発明の場合その前に回線が保留されるので、切断信号は発信されず通話状態は維持される。そして、外線同士の通話が終わり、それらの電話機がオンフックされると、自己の電話回線の極性が元の状態に復帰する。この復帰、或いは他の終話信号を本発明装置で検知して、直流ループの解除を行う。自己の電話機はオンフック状態になっているので、自己の電話機は局交換機と切断された状態になる。
【００１５】
以上の説明は、外線交換操作がスムースに行われた場合についてであるが、第一（１回目）のフッキングで一の外線を保留（局側で）したのち、他の外線の呼び出しをダイヤルミス等で失敗したような場合、その操作をクリヤーにするためにフッキングを行なう必要が生じる。このフッキング（２回目）によって一の外線が保留解除されるので、相手にその旨を伝えて再度フッキング（３回目）する。その結果、第一のフッキングが行われた状態に戻る。ダイヤルミスが複数回起きれば、その度に同様の操作を繰り返せばよい。また、他の外線を呼び出した後それが誤りだった場合には、相手の切断を待って同様に２回目、３回目のフッキングを行なう。
【００１６】
ところで、オンフック瞬断の場合には、終話に至まで直流ループの閉成状態が継続している必要がある。これに対し、フッキングも極短時間ではあれ同様に一種のオンフック操作である。そこで、フッキングの時間（手動或いはフッキングボタンによる設定）によっては、オンフック瞬断と同様直流ループの閉成が行なわれる可能性がある。もし、ダイヤルミス等による２回目のフッキング操作によって本発明装置で直流ループの閉成（電話回線の保留）が継続して行なわれると、３回目のフッキング信号の発信はできなくなる。また３回目のフッキングで直流ループの閉成が続くと他の外線を呼び出したあとの第二のフッキング（オンフック瞬断）が不可能になる。同様に、第一のフッキングで直流ループの閉成が続くと、局交換機は以降のフッキング信号を受け付けなくなる。
【００１７】
このような事態を解消するためには、以下のいずれかの対策を施すとよい。その１は、局線と電話機回路が断になった時点から 1,500ms以内で成るべく長い時間例えば 1,200msとか 1,400ms後（図２のＪの位置）に、電話機監視受信部でフックの状態を監視し、オフフック状態（図２（ａ））ならばフッキング〔前記した２回目（図２のＨ）や３回目（図２のＩ）〕と判断して直流ループの閉成はおこなわず、オンフック状態（図２（ｂ））ならば速やか（ 1,500ms以内）に直流ループを閉成させる。この直流ループの閉成により第二のフッキングであるオンフック瞬断がなされる。その２は、オンフックであれフッキングであれ規定時間（ 1,500ms）以内好ましくは 700〜 1,000ms程度の後に自動的に直流ループの閉成を行わせ、その後オンフックやフッキングから1 〜2 秒前後（Ｊの前後位置）の所定時間に電話機監視受信部でフックの状態を監視し、オフフックならばフッキングと判断して直流ループを開放し、オンフックならば直流ループの閉成を継続させる。
【００１８】
一方、自己の電話回線が保留されていても、自己の電話機を再度オフフックすれば外線二者同士の通話を聞くことができ、通話の秘密が侵されるおそれがある。これを防止するために、直流ループ閉成箇所よりも末端側で局線回線を切断して秘話状態にするようにするとよい。秘話とは、通話中の電話回線に割り込みが出来ないことを言い、従来は内線同志について言われていた。これに対し、本発明の秘話とは、交換した外線同志の通話内容に設置者側が参加出来ないことを言う。
【００１９】
次に、本発明装置の構成について説明する。まず、局線監視受信部はフッキング信号の検出と回線の極性を監視するもので、装置内の局線回路に並列に組み込まれ、フッキング信号を検出したり極性反転が起こった場合、制御部に信号を出力するものである。この局線監視受信部は、一般に受信部に使用される部品とその駆動回路及び信号発信回路等を組み込んで構成される。
【００２０】
電話機監視受信部は、装置内の局線回路の末端寄りの部分に組み込まれ、自己電話機がオンフックの状態にあるかオフフックの状態にあるかを監視するものである。即ち、オフフックの場合電話機側のループが閉成されて局交換機とつながり、図１に示すように電話機監視受信部に所定の電圧（理論上４８Ｖ）がかかり電流が流れる（図１Ｂの位置）。オンフックの場合、局交換機との接続が絶たれ、電圧、電流とも０になり（図１Ａの位置）、この状態が続く。この電圧或いは電流の有無を検出して、その結果を制御部に出力する。この受信部も、一般に受信部に使用される部品とその駆動回路及び信号発信回路等を組み込んで構成される。
【００２１】
ループ制御部は局線回路に並列に組み込まれ、装置内の局線回路に直流ループを閉成してその回線を保留状態にし、またその開放を行って保留を解除する。直流ループの閉成は、制御部からの制御信号で行わせる。尚、このループ制御部にはループを閉成するリレー（ループリレー）とその駆動回路等で構成されている。リレーに代えて、サイリスタ又はこれらと同様に機能する半導体素子等を用いてもよい。或いはこのループ制御部として、従来市販されている２局線用の電話転送装置の機能の一部（回線保留機能や局線監視機能）を利用してもよい。即ちこの種転送装置は、着信回線と転送回線をそれぞれ直流ループで保留にしハイブリッドでお互いに増幅して音量を確保する構成を採る。また転送装置は、ＰＢ信号受信部（本発明における局線監視受信部に該当）を備えている。従って、この電話転送装置に前記した電話機監視受信部や後述する制御部、秘話制御部等の機能を組み込んだものも、本発明装置と同様に使用できるものである。
【００２２】
秘話制御部は、経路上でループ制御部よりも末端寄り側に設けられていて、制御部からの制御信号により装置内の局線回路を切断する。この切断は、秘話リレーにより文字通り局線回路を切断するほか、大きな抵抗を入れるなどにより実質的に音声電流が該箇所を通過しないようにすることも含む。リレーの他にサイリスタ又はこれらと同様に機能する半導体素子等も使用することができる。
【００２３】
制御部は、例えばマイクロコンピュータを主体に構成され、上記局線監視受信部及び電話機監視受信部からの信号を入力する。とともに、フッキング信号と極性反転が検知され且つ所定時間オンフック状態が持続したことを検知した場合に、ループ制御部にループ閉成信号を出力し或いは閉成状態を維持し、且つ結果的に局交換機に第二のフッキング信号を送出する。この所定時間は、 100ms〜 1,500ms、より好ましくは 700〜 1,000ms（或いは 1,000〜 1,500ms）程度とする。また、終話信号が検知された時点でループ制御部にループ解除信号を出力する他、予め記憶されたプログラムに従って装置全体の制御を行う。更に、秘話制御部への作動信号を出力したり、終話信号を受信して秘話制御部をリセットをさせる。尚、秘話制御部への作動信号の出力は、ループ制御部へのループ閉成信号の出力と同時或いはその後速やかに行い、リセット信号は逆に同時或いは早めに出力する。
【００２４】
本発明装置は、上記したループ制御部等の各種構成部材をボックス内に収納したものでもよいが、それぞれの機能をＩＣ化してボードに組み込んだり、更には全体をワンチップ化することも可能である。その場合、各種の電話端末や局交換機への組み込みが極めて容易になる。
【００２５】
【実施例】
次に、本発明を図面に示す実施例に基づいて説明する。図３は、本発明に係わる自動ループ起動機能付きの手動外線交換装置（以下、自動ループ起動装置と言う）の接続系統図の一例を示す。本例では、自動ループ起動装置１は交換元電話機２（トリオホンサービス契約者の電話端末の電話機：以下交換元と言う）の前に接続されている。そしてこの電話回線（局線回線、加入者線）３は、電話交換網４を介して、他の外線電話端末に繋がっている。尚、発信元電話機５及び交換先電話機６の前にも、自動ループ起動装置１と同じ種類の自動ループ起動装置７、８が組み込まれている。符号３Ａは電話機５側の電話回線、符号３Ｂは電話機６側の電話回線である。
【００２６】
図４は、自動ループ起動装置１の一例を示すブロック図で、局線監視受信部９とループ制御部１０、及び電話機監視受信部１１が局線回路１２に連なっている。尚、この局線回路１２は、接続端子Ｌ１、Ｌ２を介して局線回線３に直列に接続されている。符号１３は制御部である。符号Ｌ３、Ｌ４は電話機側の接続端子である。
【００２７】
以下、発信元電話機５（一の外線電話機：以下発信元と言う）から交換元２にかかった電話を、交換先電話機６（他の外線電話機：以下交換先と言う）に交換する場合について説明する。発信元５と交換元２が通話中に、第三者への交換が必要になった場合、或いは始めから交換が目的の場合、交換元２が１回フッキングすると、発信元５の電話機は電話交換網４の側で保留され、交換元２は他への呼出が可能になる。そこで、交換先６を呼出して通話する。
【００２８】
このフッキング信号及び極性の状態は、局線監視受信部９で常時監視されており、フッキング信号と極性反転を検知すれば、制御部１３にその旨を出力する。この２つの条件が満たされ、且つ、電話機監視受信部１１からオンフックの信号が所定時間制御部１３に出力されると、ループ制御部１０に作動信号を出力して局線回路１２に直流ループを閉成させる。その結果、第二のフッキング信号が制御部１３からは局交換機に発信される。尚、この例ではフッキング信号の検知が先になるが、逆に発信元５としている外線に交換元２から電話を掛ける場合には、極性反転が先になる。従って、２つの条件の後先は問わないようになっている。
【００２９】
この第二のフッキングにより、局交換機における発信元５の保留が解除されて三者通話が可能になる。これは、トリオホンサービスの機能である。本発明装置では、既に直流ループが形成されているので、オンフック状態がつづいているにも関わらずトリオホンサービスの機能は維持され、結果的に発信元５と交換先６をつないで外線交換したことになる。
【００３０】
発信元５と交換先６の通話が終わり両者がオンフックすると、交換元２の極性が復帰する。この極性復帰、或いは他の終話信号を局線監視受信部９で検知すると、その旨を制御部１３に出力する。次いで制御部１３からループ制御部１０に直流ループの解除信号が出力され、保留状態が解除される。交換元電話機はオンフックの状態にあるので局交換機に切断信号が出力され、全ての回線が通話終了となる。
【００３１】
次に、図５は、自動ループ起動装置１４の他の例を示すブロック図で、ループ制御部１０の末端寄りに秘話制御部１５を組み込んだものを示す。秘話制御部への作動信号は、ループ閉成信号と同時或いは幾分遅れて発信され、局線回路１２を切断する。また、その復帰信号は、ループ解除信号と同時或いは幾分早めに発信される。
【００３２】
本発明の自動ループ起動装置１は、図３に示す組み込み状態以外に、図６に示すように各種装置に組み込むこともできる。例えば、ＰＢＸ（或いはボタン電話装置）１６の内部の共通回路の部分（図中Ａの状態）、各内線電話機１７の内部（図中Ｂの状態）、或いは局交換機１８の局線回線出口（図中Ｃの状態）や内部（図中Ｄの状態）等に自在に組み込める。但し、現在のトリオホンサービスは各局線回線ごとに契約する必要があるので、図７に示すような外線（局線回線）３が複数本ある場合には、それぞれに組み込む必要がある。
【００３３】
【発明の効果】
以上詳述したように、本発明方法は外線との通話中において、自己の電話機のフッキング及び自己の電話回線の極性反転を条件として、自己電話機のオンフックにより自動的に、直流ループの閉成と（その結果としての）第二のフッキング信号の発信とをなさしめるものである。従って、ＮＴＴが多数同時通話方式の一種として提供しているトリオホンサービスの契約者が、外線からかかってきた電話をフッキング操作と任意の他の外線番号を回して通話を確認した後オンフックすると言う簡単な操作で、確実に外線交換することができる。また、オンフック後に回路を切断して秘話にする場合には、外線二者の通話の秘密を確実に保持できる。外線同士の通話終了後は、自己の電話回線が自動的に開放されるので外線交換後の監視や処理も不要であるなど、普通の電話機の操作で対応でき、操作の習熟等に要する無駄なコストや手間が不要で操作時の心理的圧迫もないものである。
【００３４】
また、フッキングと極性反転と言う条件を付けているので、同種装置が外線電話に設置されていてもこの条件を満たした電話回線のみが保留になり、外線交換が不通になることは完全に防止される。
【００３５】
一方本発明装置は、局線回路に直流ループを閉成するループ制御部と、フッキング信号の検出及び極性の監視を行う局線監視受信部と、自己電話機のオンフックかオフフックかを監視する電話機監視受信部、及びこれらと信号の遣り取りをする制御部からなる極めて単純な構成ながら、トリオホンサービスを利用した操作が極めて簡単な外線交換方法を具現化するものである。従って、操作にＤＴＭＦ信号などを利用しないので、どのような種類の電話機にでも対応できるし、局交換機や電話端末自体にも容易に組み込める、且つ低コストに製造できるものである。
【図面の簡単な説明】
【図１】自己電話回線に流れる電流の状態を示す説明図である。
【図２】自己電話回線に流れる電流の状態を示す説明図で、オンフックとフッキングの区別をする場合のものを示す。
【図３】本発明に係わる自動ループ起動装置の接続系統図の一例である。
【図４】自動ループ起動装置の一例を示すブロック図である。
【図５】自動ループ起動装置の他の例を示すブロック図である。
【図６】自動ループ起動装置の異なる組み込み場所を示す接続系統図である。
【図７】電話回線が複数ある場合の本発明装置の接続の仕方を示す系統図である。
【符号の説明】
１    自動ループ起動装置
２    転送元電話機
３    電話回線
４    電話交換網
５    発信元電話機
６    転送先電話機
９    局線監視受信部
１０  ループ制御部
１１  電話機監視受信部
１２  局線回路
１３  制御部
１４  自動ループ起動装置
１５  秘話制御部
【図１】
0003668903.tif 000002
【図２】
0003668903.tif 000003
【図３】
0003668903.tif 000004
【図４】
0003668903.tif 000005
【図５】
0003668903.tif 000006
【図６】
0003668903.tif 000007
【図７】
0003668903.tif 000008